(57)【特許請求の範囲】
【請求項１】
結合体同士が結合される部位における一方結合体（６Ａ）に設けられた雌ホック（１１）と、他方結合体（６Ｂ）に設けられた雄ホック（１２）とからなる雌雄結合構造のホックであり、
前記雌ホックは、
前記一方結合体の一面（６Ａａ）に配置され、略円形の凹部（１４）が設けられた硬質樹脂製の導電性を有しない雌ホック主体（１３）と、
前記一方結合体の他面（６Ａｂ）から前記一面にかけて配置された導電性を有する金具（１７）と、を具備し、
前記雄ホックは、
前記他方結合体の一面（６Ｂａ）に配置され、前記雌ホック主体の前記凹部に嵌入可能な円筒状の凸部（２４）が設けられた硬質樹脂製の導電性を有しない雄ホック主体（２０）と、
前記他方結合体の他面（６Ｂｂ）に配置され、座金（２７）と、該座金との間に内部空間を形成するように設けられた蓋部（２９）とからなり、全体的に導電性を有するホック頭部（２６）と、
前記ホック頭部の前記内部空間に配置されたフランジ（３４）と、該フランジに突設され、前記他方結合体を介して前記凸部へと突出したピン（３５）と、該フランジの周縁の一部から延びた板ばねからなるばね部（３６）とを備え、全体的に導電性を有し、そのフランジ（３４）及びばね部（３６）の部位が前記内部空間を形成する内壁面に接触する通電部材（３３）と、を具備し、
前記通電部材（３３）を構成するばね部（３６）は、その一部が前記蓋部（２９）の内壁面に当接することにより、前記フランジ（３４）及び前記ピン（３５）を前記他方結合体に向けて付勢し、
前記雌ホックと前記雄ホックの雌雄結合状態において、前記雌ホックの前記金具に前記雄ホックの前記通電部材の前記ピンが接触することにより、前記一方結合体と前記他方結合体の間を通電可能としたことを特徴とする通電ホック。
【請求項２】
前記結合体は生地であり、
前記雌ホックの前記金具は、鍔部（１８）と、該鍔部に突設された円筒部（１９）とからなり、該円筒部を前記一方生地の前記他面から該生地を介して前記雌ホック主体の前記凹部まで貫通させてかしめることにより、前記一方生地に前記雌ホックを止めることを特徴とする請求項１に記載の通電ホック。
【発明の詳細な説明】
【技術分野】
【０００１】
本発明は、それぞれのホック主体が非導電材の硬質樹脂からなる雌ホックと雄ホックの雌雄結合状態において、一方結合体（一方生地）と他方結合体（他方生地）の間を通電させる通電ホックに関する。
【背景技術】
【０００２】
下記特許文献１などに開示されるような、雌ホックの凹部に雄ホックの凸部（ゲンコ）を嵌入することにより着脱自在に結合する雌雄結合構造のホックは、衣服、鞄、靴などの日常品に広く用いられている。
【０００３】
ところで、医療機器や健康機器における結合部位にも当然このようなホックは用いられているが、医療機器であれば、例えば身体状態を調べるために数値などを測定したり、健康機器であれば、例えばダイエット機器として知られる振動機能付き腹巻のバイブレータを駆動するなど、医療機器や健康機器には電気を用いることが多々ある。
【０００４】
そのため、下記特許文献２に開示されるように、医療機器である心電測定器のホック（ホック式電極）は通電可能に構成されている。心電測定器などは比較的高い電流を流しているため、ホックは感電防止のためにゴムなどの非導電材により覆われている。
【先行技術文献】
【特許文献】
【０００５】
【特許文献１】特開２００５−２７０５７３号公報
【特許文献２】特開平６−２３７９０７号公報
【発明の概要】
【発明が解決しようとする課題】
【０００６】
また、最近は健康機器においても電流を上げたいという要望がある。このような要望を受けるものの中に、上述したダイエット機器である、図１に示すような振動機能付き腹巻１がある。この腹巻１は、本体生地２の裏面２Ａに設けられたバイブレータ３が振動することで腹周りの脂肪を落とすというものである。また、本体生地２の表面２Ｂには電源を含むコントローラ４が設けられ、電源からバイブレータ３までを電流が流れるが、更に電流を上げて、バイブレータ３の振動強度を高めたいという要望がある。
【０００７】
図１に示すような腹巻１において、通電可能に構成された結合部位の例として、図２に示すように、本体生地２とバイブレータ３が結合される部位がある。この部位は、本体生地２にホック１０のいずれか一方（例えば雌ホック１１）、バイブレータ３にいずれか他方（例えば雄ホック１２）が設けられ、これらの雌雄結合によって着脱自在に結合されている。なお、腹巻１では、バイブレータ３をホック１０により結合させることに加えて、面ファスナ５によっても結合させており、ホック１０は主に通電、面ファスナ５は主にバイブレータ３の保持に用いられている。また、図２において、符号３ａはバイブレータ３の振動源、符号４ａは電源を示している。
【０００８】
従来、図１及び２に示すような腹巻１では、少なくとも雌雄のホックの結合部分となる、雌ホックの凹部が設けられた雌ホック主体と雄ホックのゲンコが設けられた雄ホック主体が金属などの導電材で製造されており、結合部分が導電材からなるこのホックを介して通電させていた。
【０００９】
しかしながら、従来のような結合部分が金属製のホックに高い電流を通電させるとなると、その結合部分で感電などの危険性が高まる。感電を防止するために雌雄のホック主体に硬質樹脂などの非導電材を使用したいが、そうすると今度は通電させることができなくなる。
【００１０】
本発明は、このような状況に鑑みてなされたもので、雌雄結合構造のホックにおいて、その結合部分、すなわち、雌ホックの凹部が設けられた雌ホック主体と雄ホックの凸部が設けられた雄ホック主体に導電性を有しない硬質樹脂を用いるとともに、通電可能に構成することにより、感電防止性能が向上して高い電流の通電にも対応する通電ホックを提供することを目的としている。
【課題を解決するための手段】
【００１１】
次に、上記の課題を解決するための手段を、実施の形態に対応する図面を参照して説明する。
本発明に係る請求項１記載の通電ホックは、結合体同士が結合される部位における一方結合体６Ａに設けられた雌ホック１１と、他方結合体６Ｂに設けられた雄ホック１２とからなる雌雄結合構造のホックであり、
前記雌ホック１１は、
前記一方結合体６Ａの一面６Ａａに配置され、略円形の凹部１４が設けられた硬質樹脂製の導電性を有しない雌ホック主体１３と、
前記一方結合体６Ａの他面６Ａｂから前記一面６Ａａにかけて配置された導電性を有する金具１７と、を具備し、
前記雄ホック１２は、
前記他方結合体６Ｂの一面６Ｂａに配置され、前記雌ホック主体１３の前記凹部１４に嵌入可能な円筒状の凸部２４が設けられた硬質樹脂製の導電性を有しない雄ホック主体２０と、
前記他方結合体６Ｂの他面６Ｂｂに配置され、座金２７と、該座金２７との間に内部空間を形成するように設けられた蓋部２９とからなり、全体的に導電性を有するホック頭部２６と、
前記ホック頭部２６の前記内部空間に配置されたフランジ３４と、該フランジ３４に突設され、前記他方結合体６Ｂを介して前記凸部２４へと突出したピン３５とを備え、全体的に導電性を有し、そのいずれかの部位が前記内部空間を形成する内壁面に接触する通電部材３３と、を具備し、
前記雌ホック１１と前記雄ホック１２の雌雄結合状態において、前記雌ホック１１の前記金具１７に前記雄ホック１２の前記通電部材３３の前記ピン３５が接触することにより、前記一方結合体６Ａと前記他方結合体６Ｂの間を通電可能としたことを特徴としている。
【００１２】
このような構成によれば、雌雄結合状態において、雌ホック１１の金具１７に雄ホック１２の通電部材３３のピン３５が接触し、雌ホック１１の金具１７と雄ホック１２のホック頭部２６の内部空間の間は通電可能となる。また、雌雄のホック１１，１２のそれぞれのホック主体１３，２０が共に導電性を有しない硬質樹脂からなるため、使用者が結合部分（雌雄結合状態にあるときの雌雄のホック主体１３，２０）に触れたとしても感電する心配はない。
【００１３】
請求項１記載の通電ホックは、上記の通電ホックにおいて、前記通電部材３３は、前記フランジ３４を前記他方結合体６Ｂに向けて付勢するばね部３６を備えたことを特徴としている。
【００１４】
このような構成によれば、雌雄結合状態にあるときは通電部材３３のピン３５を雌ホック１１の金具１７に押し付けることができる。これにより、通電部材３３を雌ホック１１の金具１７に確実に接触させることができる。
【００１５】
請求項１記載の通電ホックは、前記ばね部３６は、前記フランジ３４の周縁の一部から延びた板ばねからなることを特徴としている。
【００１６】
このような構成によれば、ばね部３６を、通電部材３３と一体的に、且つ簡素にすることができる。
【００１７】
請求項２記載の通電ホックは、請求項１記載の通電ホックにおいて、
前記結合体は生地であり、
前記雌ホック１１の前記金具１７は、鍔部１８と、該鍔部１８に突設された円筒部１９とからなり、該円筒部１９を前記一方生地６Ａの前記他面６Ａｂから該生地６Ａを介して前記雌ホック主体１３の前記凹部１４まで貫通させてかしめることにより、前記一方生地６Ａに前記雌ホック１１を止めることを特徴としている。
【００１８】
このような構成によれば、雌ホック１１を一方生地６Ａに止めるためにかしめる金具１７を通電のための接点に供することができる。
【発明の効果】
【００１９】
本発明に係る通電ホックによれば、雌ホックの金具と雄ホックのホック頭部の間は通電可能となる。これにより、一方結合体と他方結合体の間は通電可能となる。また、雌雄のホックのそれぞれのホック主体が共に導電性を有しない硬質樹脂からなるため、使用者が結合部分（雌雄結合状態にあるときの雌雄のホック主体）に触れても感電することはない。すなわち、感電防止性能が向上する。感電防止性能が向上することにより、高い電流の通電にも対応可能となる。
さらに、本発明に係る通電ホックは、雌雄結合状態にあるときは、雄ホック内部の通電部材のピンを、ばね部により雌ホックの金具に押し付けることができ、これにより、通電部材を雌ホックの金具に確実に接触させることができる。
【図面の簡単な説明】
【００２０】
【図１】本発明に係る通電ホックが組み込まれるものの一例（振動機能付き腹巻）を示す図である。
【図２】振動機能付き腹巻を示す斜視図である。
【図３】本発明に係る通電ホックの実施の形態を示す斜視図である。
【図４】（ａ）同実施の形態の雌雄分離状態を示す正断面図である。  （ｂ）同実施の形態の雌雄結合状態を示す正断面図である。
【図５】（ａ）同実施の形態が備える通電部材を示す底面図である。  （ｂ）同実施の形態が備える通電部材を示す正面（一部断面）図である。
【図６】同実施の形態を振動機能付き腹巻の他の結合部位に適用した例を示す斜視図である。
【発明を実施するための形態】
【００２１】
以下、本発明の実施の形態を図面を参照して具体的に説明する。
図１及び２には、この実施の形態（通電ホック１０）が組み込まれるものの一例として、健康機器（ダイエット機器）として知られる振動機能付き腹巻１を示している。上述したように、腹巻１は、本体生地２の裏面２Ａにバイブレータ３が設けられ、表面に電源４ａを含むコントローラ４が設けられている。また、腹巻１は、電源４ａを入れることで、電源からバイブレータ３の振動源３ａに電流が流れ、バイブレータ３が振動する。
【００２２】
通電ホック１０は、結合体同士が結合される部位の一方結合体に雌雄のいずれか一方、他方結合体に雌雄のいずれか他方が設けられる。なお、この実施の形態では、図２に示すように、通電ホック１０は、腹巻１において、本体生地２の裏面２Ａとバイブレータ３が結合される部位に設けられている。また、この実施の形態において、結合体は生地であり、このうち、一方結合体は、バイブレータ３が結合したときに本体生地２がバイブレータ３と対向する面の生地、すなわち、本体生地２の裏面２Ａの生地（一方生地６Ａ）、他方結合体は、バイブレータ３が結合したときにこのバイブレータ３の本体生地２と対向する面の生地（他方生地６Ｂ）である。
【００２３】
図３に示すように、通電ホック１０は、雌ホック１１と雄ホック１２からなる雌雄結合構造のホックである。雌ホック１１は、上述した一方生地６Ａ、すなわち、本体生地２の裏面２Ａの生地に設けられ、雄ホック１２は、上述した他方生地６Ｂ、すなわち、バイブレータ３の本体生地２と対向する面の生地に設けられている。雌ホック１１と雄ホック１２は、雌雄結合することにより一方生地６Ａと他方生地６Ｂを結合する。また、雌ホック１１にはリード線７ａによってコントローラ４の電源４ａが電気的に接続されており、雄ホック１２にはリード線７ｂによってバイブレータ３の振動源３ａが電気的に接続されている。コントローラ４からは、電源４ａの入切の他、バイブレータ３（振動源３ａ）の振動強度や振動タイミングの調節などの操作を行うことができる。
【００２４】
なお、図３に示すように、この実施の形態では、雌ホック１１と電源４ａ、雄ホック１２と振動源３ａの間は、リード線７ａ，７ｂによってそれぞれ電気的に接続されているが、例えば導電カーボンなどが含有されたメッシュ層を雌雄のホック１１，１２と各生地６Ａ，６Ｂの間に敷いて、このメッシュ層に電源４ａや振動源３ａを接触させることにより、電源４ａや振動源３ａと電気的に接続されるように構成してもよい。
【００２５】
各生地６Ａ，６Ｂにはそれぞれ表裏の面（一面と他面）がある。図４において、符号６Ａａは一方生地６Ａの一面、符号６Ａｂは一方生地６Ａの他面、符号６Ｂａは他方生地６Ｂの一面、符号６Ｂｂは他方生地６Ｂの他面を示している。
【００２６】
図４（ａ）に示すように、雌ホック１１は、一方生地６Ａに設けられ、雌ホック主体１３と、金具１６とを備えている。雌ホック主体１３は、一方生地６Ａの一面６Ａａに配置されている。雌ホック主体１３は、ポリエチレンなどの導電性を有しない硬質の合成樹脂からなり、扁平円板状の外形となるように形成されている。雌ホック主体１３の周縁は、下方に折り返すように屈曲形成されている。雌ホック主体１３の上面中央には略円形の凹部１４が設けられている。凹部１４は、その断面が中途位置から底面１５にかけてやや拡径された形状に形成されている。凹部１４の底面１５には略円形の孔１６が穿設されている。
【００２７】
金具１７は、一方生地６Ａの他面６Ａｂから一面６Ａａにかけてこの生地６Ａを介して配置されている。金具１７は、略円形の鍔部１８と、鍔部１８の上面中央に突設された円筒部１９とからなる。金具１７は、円筒部１９を一方生地６Ａの他面６Ａｂからこの生地６Ａを介して雌ホック主体１３の凹部１４の底面１５まで貫通させ、底面１５の孔１６から突出したその先端部をかしめることにより、一方生地６Ａに雌ホック主体１３を止める。金具１７は、導電性を有する。また、金具１７には、後述する通電部材３３のピン３５が接触する部分、すなわち、円筒部１９の先端部分に接点が設けられてもよい。
【００２８】
雌ホック１１は、一方生地６Ａの他面６Ａｂにおいて、上述したように、リード線７ａを介して電源３ａと電気的に接続されているが、リード線５ａを一方生地６Ａと金具１７の間に挟み込むことでこのような電気的接続を実現している。
【００２９】
図４（ａ）に示すように、雄ホック１２は、他方生地６Ｂに設けられ、雄ホック主体２０と、ホック頭部２６と、金具３０と、通電部材３３とを備えている。雄ホック主体２０は、他方生地６Ｂの一面６Ｂａに配置されている。雄ホック主体２０は、雌ホック主体１３と同様に導電性を有しないポリエチレンなどの硬質の合成樹脂からなり、円板状の基部２１と、この基部２１の下面中央に突設された円筒状の凸部２４とからなる。基部２１の上面の周縁部には、他方生地６Ｂの一面６Ｂａに食い込んで雄ホック主体２０の回転を防止するように、基部２１の略円形の上面の中心に向けて延びた所定長さの突条２２が設けられている。また、基部の中央には孔２３が穿設されている。凸部２４は、この雄ホック１２におけるいわゆるゲンコであり、雌ホック主体１３の凹部１４に嵌入可能な円筒状に形成されている。また、凸部２４の先端部には周方向に延びた突起２５が設けられている。凸部２４が雌ホック主体１３の凹部１４に嵌入されたときに、この突起２５が凹部１４内面の拡径部分に入り込むことで抜け止めとなる。さらに、図示しないが、凸部２４の周面には軸方向に延びた切欠きが設けられている。切欠きは、凸部２４が適度な弾性を有するようにこの凸部２４を分割するもので、各切欠きが等間隔に配置されるように、二つ乃至四つほど設けられている。
【００３０】
ホック頭部２６は、他方生地６Ｂの他面６Ｂｂに配置されている。ホック頭部２６は、座金２７と、蓋部２９とからなる。座金２７は、円筒状の外形となるように形成されている。座金２７の周縁は、下方に折り返すように屈曲されることで二重構造となるように形成されている。座金２７の中央には孔２８が穿設されている。蓋部２９は、円板状に形成されており、その周縁部をかしめることにより、座金２７に固着され、座金２７と略一体となる。また、座金２７と蓋部２９からなるホック頭部２６の内部には空間が形成されている。座金２７と蓋部２９は、共に金属製であり、導電性を有する。したがって、ホック頭部２６は全体的に導電性を有する。
【００３１】
金具３０は、他方生地６Ｂの他面６Ｂｂにあるホック頭部２６の内部空間に配置され、さらに、他面６Ｂｂから一面６Ｂａにかけてこの生地６Ｂを介して配置されている。金具３０は、略円形の鍔部３１と、鍔部３１の上面中央に突設された円筒部３２とからなる。金具３０は、円筒部３２をホック頭部２６の内部空間から他方生地６Ｂを介して雄ホック主体２０の凸部２４まで貫通させ、座金２７の孔２８を通過して雄ホック主体２０の基部２１の孔２３から突出したその先端部をかしめることにより、他方生地２Ｂに雄ホック主体２０を止める。なお、この金具３０も、雌ホック１１の金具１７と同様に導電性を有する。
【００３２】
図５（ａ），（ｂ）に示すように、通電部材３３は、略円形のフランジ３４と、フランジ３４の下面の中央に突設された先端が閉じられた有底円筒状のピン３５と、ばね部３６とを備えている。図４（ａ）に示すように、通電部材３３は、フランジ３４がホック頭部２６の内部空間に配置されるとともに、ピン３５が金具３０の円筒部３２に挿通され、その先端部が円筒部３２を通じて凸部２４へと突出するように配置されている。また、図５（ａ）に示すように、フランジ３４の上面にはばね部３６が設けられている。ばね部３６は、フランジ３４の周縁の一部から板状に延びた部分を、フランジ３４の上面側に折り返した後、上方に折り曲げ、更に中途部分を折り曲げて形成された板ばねである。ばね部３６は、通電部材３３が雄ホック１２に組み込まれた状態において、蓋部２９に当接することにより、フランジ３４及びピン３５を他方生地６Ｂに向けて常に付勢する。なお、図５に示す例は通電部材３３の一例であり、例えばフランジ３４が略円形ではなく矩形などとされてもよい。また、ピン３５が有底円筒状ではなく単なる円筒状などとされてもよい。さらに、ばね部３６も同様に、適当な付勢力や耐久力が得られるのであれば、折り曲げる位置や折り曲げ方など図５に示す例に限らず、それ以外の形状とされてもよい。
【００３３】
フランジ３４、ピン３５及びばね部３６は、金属製であり、導電性を有する。したがって、これらの構成要素を一部材を加工することで備えた通電部材３３は、全体的に導電性を有する。
【００３４】
図４（ａ）に示すように、雄ホック１２は、他方生地６Ｂの他面６Ｂｂにおいて、上述したように、リード線７ｂを介してバイブレータ３の振動源３ａと電気的に接続されているが、リード線７ｂを他方生地６Ｂとホック頭部２６の座金２７の間に挟み込むことでこのような電気的接続を実現している。
【００３５】
また、図４（ｂ）に示すように、雌ホック１１と雄ホック１２の雌雄結合状態において、通電部材３３のピン３５が、雌ホック１１の金具１７に接触することにより、一方生地６Ａと他方生地６Ｂの間、更に詳細には、一方生地６Ａの他面６Ａｂと他方生地６Ｂの他面６Ｂｂの間が通電可能となる。このとき、通電部材３３のピン３５は、雌ホック１１の金具１７に図中の矢線方向に押されるが、ばね部３６によって付勢されていることから、金具１７に押し付けられ、この金具１７と常に接触するようになる。
【００３６】
上述した実施の形態によれば、雌ホック１１と雄ホック１２の雌雄結合状態において、雌ホック１１の金具１７に雄ホック１２の通電部材３３のピン３５が接触することにより、一方生地６Ａの他面６Ａｂと他方生地６Ｂの他面６Ｂｂの間は通電可能となる。また、雌ホック主体１３と雄ホック主体２０が共に導電性を有しない硬質の合成樹脂からなるため、使用者が結合部分（雌雄結合状態にあるときの雌ホック主体１３と雄ホック主体２０）に触れたとしても感電する心配はない。すなわち、感電防止性能が向上する。感電防止性能が向上することにより、高い電流の通電にも対応可能となる。
【００３７】
また、通電部材３３がばね部３６を備えることにより、雌雄結合状態にあるときは通電部材３３のピン３５を雌ホック１１の雌ホック１１の金具１７に押し付けることができる。これにより、通電部材３３を金具１７に確実に接触させることができる。さらに、この板ばね状のばね部３６を、通電部材３３と一体的に、且つ簡素にすることができる。
【００３８】
なお、上述した実施の形態を、図１及び２に示すような腹巻１に用いた場合は、雌雄のホック主体１３，２０以外の部分は腹巻１の本体生地２あるいはバイブレータ３の生地に隠れて外部に露出することはない。そのため、使用者が雌雄のホック主体１３，２０以外の部分に触れて感電することはない。
【００３９】
さらに、図６には上述した実施の形態を、腹巻１における他の結合部位に適用した例を示している。この例は、コントローラ４の裏面に設けられた雌ホック１１と本体生地２の表面２Ｂに設けられた雄ホック１２の雌雄結合により、コントローラ４を着脱自在、且つ通電可能に構成するものである。この例において、雌ホック１１が配置される結合体（一方結合体）は、硬質の合成樹脂からなるコントローラ４の筐体裏面である。この例では、雌ホック１１はインジェクション成形によってコントローラ４の筐体裏面と略一体化されている。このように、上述した実施の形態を適用可能な結合部位は、硬質の結合体同士や、一方が生地で他方が硬質の結合体など、生地同士が結合されるような部位に限定されるものではない。
【産業上の利用可能性】
【００４０】
本発明に係る通電ホックは、結合体同士の結合部位において、ホックとしての結合機能を備えながらも、使用者が感電することなく、通電させる機能を備えるものであり、医療機器や、上述したダイエット機器などの健康機器の他、電飾されたステージ衣装のような衣類など、様々なものに適用可能である。
【符号の説明】
【００４１】
１…振動機能付き腹巻、２…本体生地、２Ａ…本体生地の裏面、２Ｂ…本体生地の表面、３…バイブレータ、３ａ…振動源、４…コントローラ、４ａ…電源、５…面ファスナ、６Ａ…一方結合体（一方生地）、６Ａａ…一方結合体の一面、６Ａｂ…一方結合体の他面、６Ｂ…他方結合体（他方生地）、６Ｂａ…他方結合体の一面、６Ｂｂ…他方結合体の他面、７ａ…リード線、７ｂ…リード線、１０…通電ホック、１１…雌ホック、１２…雄ホック、１３…雌ホック主体、１４…凹部、１５…底面、１６…孔、１７…金具、１８…鍔部、１９…円筒部、２０…雄ホック主体、２１…基部、２２…突条、２３…孔、２４…凸部、２５…突起、２６…ホック頭部、２７…座金、２８…孔、２９…蓋部、３０…金具、３１…鍔部、３２…円筒部、３３…通電部材、３４…フランジ、３５…ピン、３６…ばね部
【図１】
0005784516.tif 000002
【図２】
0005784516.tif 000003
【図３】
0005784516.tif 000004
【図４】
0005784516.tif 000005
【図５】
0005784516.tif 000006
【図６】
0005784516.tif 000007